【手続補正書】
【提出日】平成29年12月22日(2017.12.22)
【手続補正１】
【補正対象書類名】明細書
【補正対象項目名】発明の名称
【補正方法】変更
【補正の内容】
【発明の名称】ボード試験方法及び装置
【手続補正２】
【補正対象書類名】明細書
【補正対象項目名】００５３
【補正方法】変更
【補正の内容】
【００５３】
好ましくは、システムは、装置が指定されたボードの構造に適した数値を調べることができるように、様々な異なるタイプのボードに関する試験データを含むデータベース又はルックアップテーブルを含む。好ましくは、このルックアップテーブルは、ａ）上ウェブ材料、ｂ）下ウェブ材料、ｃ）フルート材料、ｄ）層構造（すなわち、３つの壁又は２つの壁のデザイン）、及びｅ）カリパーの少なくとも一部に関する個別データを含む、フルート形状タイプ、材料重量及び材料タイプの少なくとも一部のような、ボード自体の形態に関するデータに加えて、撓み及び／又は力の応答に関するデータと、恐らく第１段階の破損の撓み／力だけでなく、第２段階の破損の撓み／力及び第３段階の破損の撓み／力をも有する。
【手続補正３】
【補正対象書類名】明細書
【補正対象項目名】００６６
【補正方法】変更
【補正の内容】
【００６６】
本発明はまた、波形のボードを試験するための装置であって、支持プレートと、圧力プレートと、フレームと、支持プレートに対して圧力プレートを移動させるための機構と、圧力プレート又は支持プレート又は両方が経験する運動及び力を測定するための、好ましくは荷重センサー及び運動センサーの形態のセンサー装置と、支持プレートと圧力プレートとの間にボードを受け入れるためのスロットであって、装置の全幅に広がるスロットとを提供する試験装置を提供する。
【手続補正４】
【補正対象書類名】特許請求の範囲
【補正対象項目名】全文
【補正方法】変更
【補正の内容】
【特許請求の範囲】
【請求項１】
試験機によって行われるボード試験方法であって、
前記試験機の支持プレートと圧力プレートとの間に既知のタイプの波形材料のボードを配置することと、
前記支持プレートに対する前記圧力プレートの移動によってそれらの間で前記ボードを圧縮するように前記ボードに負荷をかけることと、
前記試験機上又は前記試験機内に取り付けられた１つ以上のセンサーで負荷と撓みの数値を測定することと、
そのボードタイプの指定された負荷又は指定された撓みに対して予め定められた数値との比較のための少なくとも１対の負荷と撓みの数値を出力することと
を含み、
前記指定された撓みがそのタイプの波形材料に対して予め定められた平均第１破損点の９０％を超えない距離であるか又は、
前記指定された負荷がそのタイプの波形材料に対して予め定められた第１破損点に達成するための負荷の５０から９５％程度である、方法。
【請求項２】
前記方法は、負荷が負荷の領域で２０Ｎ／ｃｍ２を超えない時点で前記ボードのキャリパーを測定することも含む、請求項１に記載の方法。
【請求項３】
前記圧力プレートはボードに面する平らな円盤状の面を有する、請求項１又は２に記載の方法。
【請求項４】
前記圧力プレートは約２０ｍｍの直径を有する、請求項３に記載の方法。
【請求項５】
想定される実質的にゼロの撓みに対応する基準キャリパーが５から４０Ｎの間の負荷で測定される、請求項１から４のいずれか１項に記載の方法。
【請求項６】
前記支持プレートに対する前記圧力プレートの移動によってゼロキャリパー基準を測定することと、その後、前記ボードをそれらの間に挿入するのに完全に先立って、それを退避させることとを含む、請求項１から５のいずれか１項に記載の方法。
【請求項７】
２つのキャリパー数値、コンバーター装置による前記ボードの加工前の第１キャリパー数値とその加工後の第２キャリパー数値とが測定される、請求項１から６のいずれか１項に記載の方法。
【請求項８】
前記試験は指定された負荷に対する撓みを測定する、請求項１から７のいずれか１項に記載の方法。
【請求項９】
コンバーターがその供給ローラーでボードを挟持する前に測定された当初キャリパー測定値から、加工後に測定された前記パネルキャリパー測定値を引いて、前記パネルが前記試験の予め設定された負荷の下に置かれたときにその第２キャリパー測定値から測定される撓みを加えたものとして、比較のための撓みの値が算出される、請求項１から８のいずれか１項に記載の方法。
【請求項１０】
前記ボードは予め知られているコルゲーションタイプのものであり、前記試験負荷はそのボードタイプの予め定められた第１段階の破損負荷の約８５％の値で前記ボードに与えられる、請求項１から９のいずれか１項に記載の方法。
【請求項１１】
前記試験は前記ボードの非破壊試験である、請求項１から１０のいずれか１項に記載の方法。
【請求項１２】
請求項１から１１のいずれか１項に記載の方法を行うように適合された試験機であって、前記試験機は、
ａ）その上に前記段ボールの領域が乗ることができる支持面と、
ｂ）前記段ボールの厚さを横切って前記支持面に向かって圧縮力を加えるために前記段ボールの反対側に試験力を加えることができる圧力プレートと、
ｃ）前記段ボールによる撓みと前記段ボールからの力とを感知する１つ以上のセンサーと、
ｄ）感知されたデータを予め定められた撓みあたりの力のパラメーターと照合するためのデータベース又はルックアップテーブルと
を含む試験機。
【請求項１３】
前記データベース又はルックアップテーブルは、前記装置が指定されたボードの構造に適した数値を調べることができるように、様々な異なるタイプのボードに関する試験データを含む、請求項１２に記載の試験機。
【請求項１４】
前記データベース又はルックアップテーブルは、上ウェブ材料、下ウェブ材料、フルート材料、層構造又はキャリパーの少なくとも１つに関する個別データのような、フルート形状タイプ、材料重量及び材料タイプのうちの少なくとも１つを含むボード自体の形態に関するデータに加えて、撓み及び／又は力の応答に関するデータを有する、請求項１２又は１３に記載の試験機。
【請求項１５】
前記データベース又はルックアップテーブルは、第１段階の破損の撓み／力だけでなく、第２段階の破損の撓み／力と必要に応じて第３段階の破損の撓み／力に関するデータを有する、請求項１３又は１４に記載の試験機。
【請求項１６】
前記圧縮試験は合計１ｍｍ未満になる程度のボードの圧縮を用いて行われる、請求項１２から１５のいずれか１項に記載の試験機。
【請求項１７】
波形のボードを試験するための装置であって、支持プレートと、圧力プレートと、フレームと、前記支持プレートに対して前記圧力プレートを移動させるための機構と、前記圧力プレート又は前記支持プレート又は両方が経験する運動及び力を測定するためのセンサー装置と、前記支持プレートと前記圧力プレートとの間に前記ボードを受け入れるためのスロットであって、前記装置の全幅に広がるスロットとを提供する試験装置。
【請求項１８】
前記装置は、一体化された画面、好ましくは前記装置の動作を制御するためのタッチスクリーンを含む、請求項１７に記載の装置。
【請求項１９】
ボードに関する複数の試験数値を測定し且つ前記複数の数値に基づいて合格又は不合格のスコアを提供するように構成される、請求項１７又は１８に記載の装置。
【請求項２０】
請求項１から１１のいずれか１項に記載の方法を行うように適合された、請求項１７から１８のいずれか１項に記載の装置。